(57)【要約】【課題】簡易防寒衣服又お洒落着として広く用いられている前開き型ベスト類と上服の組合せ衣服に関し、前開き型ベスト類を開いた形で着用しても前開き型ベスト類の一部が上服からはみ出したりせず、また着脱時に前開き型ベスト類と上服を同時に着脱でき、かつ種々の前開き型ベスト類と上服の組合せ衣服が楽しめるようにする。【解決手段】前開き型ベスト類と上服のそれぞれの前身頃の開閉部材付近の左右両側と後襟部の３ヶ所うち、少なくとも前身頃の開閉部材付近の左右両側の、前開き型ベスト類の隣接面側に、各１組以上の係脱具を設けて前開き型ベスト類と上服を係脱自在に係合させる。【選択図】  図５
2005281898.tif 000002
【特許請求の範囲】
【請求項１】
前開き型ベスト類の上に上服を着用する組合せ衣服において、前開き型ベスト類と上服のそれぞれの前身頃の開閉部材付近の左右両側の前記前開き型ベスト類と前記上服の隣接面側に、少なくとも各１組以上の係脱具を設けて、前記前開き型ベスト類と前記上服を係脱自在に係合させたことを特徴とする組合せ衣服。
【請求項２】
前開き型ベスト類の上に上服を着用する組合せ衣服において、前開き型ベスト類と上服のそれぞれの前身頃の開閉部材付近の左右両側と後襟部の３ヶ所の前記ベスト類と前記上服の隣接面側に、少なくとも各１組以上の係脱具を設けて、前記前開き型ベスト類と前記上服を係脱自在に係合させたことを特徴とする組合せ衣服。
【請求項３】
開閉部材としてボタンとボタン穴を有する前開き型ベスト類の上に着用する上服において、上服の前身頃の開閉部材付近の左右の裏面側に、前記前開き型ベスト類のボタンとボタン穴にそれぞれ係脱するボタン穴とボタンを少なくとも各１以上設けたことを特徴とする上服。
【請求項４】
複数枚の前開き型ベスト類を重ねて着る組合せ衣服において、複数枚の前開き型ベスト類のそれぞれの前身頃の開閉部材付近の左右両側と後襟部の３ヶ所の前記重ねて着る前開き型ベスト類同士の隣接面側に、少なくとも各１組以上の係脱具を設けて、前記複数枚の前開き型ベスト類を係脱自在に係合させたことを特徴とする前開き型組合せベスト類。
【発明の詳細な説明】
【技術分野】
【０００１】
本発明は簡易防寒衣服として又お洒落着として広く用いられている前開き型ベスト類と上服の組合せ衣服に関するものである。
【背景技術】
【０００２】
前開き型ベスト（別称  チョッキ）やカーデガンなどは簡易防寒衣服として、又お洒落着として四季を通じてスーツやブレザーなどの上服の下に広く着用されている。簡易防寒衣服としてはその他に頭部から着脱する前閉じ型のベストやセーターなどがある。しかし、特にスーツやブレザーなどの下に着る簡易防寒衣服としては、寒暖にしたがって体温調整がし易いように、簡便に前身頃の開閉が可能な前開き型のベストやカーデガンが便利で、広く着用されている。以下前開き型ベスト及びカーデガンなどを総称して前開き型ベスト類と称す。
【０００３】
前開き型ベスト類は一般的には前身頃の中央付近に開閉部材として縦に複数個のボタンとボタン穴を設けたものが多い。最近はお洒落感を向上させるため、ボタンとボタン穴ではなく、ジッパー（通称チャック）、面ファスナー（通称マジックテープ）などが開閉部材として用いられている。また、特殊な場合としては全く開閉部材を設けない前開き型ベスト類もある。
【０００４】
通常、前開き型ベスト類はシャツの上に着用され、その上に上服が着られる。平常は前開き型ベスト類の本来の機能である防寒の意味から前開き型ベスト類の前身頃の開閉部材を閉じて使用する。そして、少し暖かい時には開閉部材を開いて使用する。また、さらに暖かい時には上服を脱いで、前開き型ベスト類が表面に出た形で使用される。最近、若い人の間では開閉部材を閉じた形は、寒がりで少し年寄りくさい感じを受けるという感覚から、開いた形で使用されることも多くなっている。
【０００５】
また、前開き型ベスト類を着用する場合、寒暖に応じて厚さの異なるものを着るが、その都度適切な厚さのものを選んで着ている。
【０００６】
さらに、前開き型ベスト類と上服は着用にあたって、着る時は前開き型ベスト類を着た後に上服を着て、脱ぐ時は上服を脱いだ後に前開き型ベスト類を脱ぐという手順が一般的である。
【０００７】
以上のことから、次の４点が問題点としてあげられる。１）前開き型ベスト類の開閉部材を開いた形で着用する場合、前開き型ベスト類の一部が上服からはみ出して気障りであるし、見た目のスッキリ感も失われるという問題点がある。
【０００８】
また、２）前開き型ベスト類と上服は着用にあたって、着脱時に前開き型ベストと上服を別々に着脱しなければならないという不便さがある。これは前開き型ベスト類と上服が本来、別衣服として扱われてきたことによるものである。
【０００９】
また、３）前開き型ベスト類の厚さを変えることによって種々の外気温度に対応することができるが、その場合には厚さの異なる前開き型ベスト類をその都度着替える必要があるという不便さがある。
【００１０】
その結果、４）前開き型ベスト類はある特定の季節に限定されて利用されており、またこのため上服も短期間ごとに適切な厚さのものに衣替えする必要があるという問題点がある。
【００１１】
上記問題点を係脱が容易でかつ確実な方法で解決した前開き型ベスト類と上服の組合せ衣服は存在しないようである。
【００１２】
しかし、前開き型ベスト類と上服を便利に着こなそうとする試みは幾つか公報に開示されている。
【００１３】
例えば、特許文献１（特許第３４３６７３２号公報）には、前開き型ベストを上衣の上に着用する組合せ衣服（公報では道着）において、前開き型ベストを上衣の後襟部の衿付け部と肩稜線と袖部に縫着して前開き型ベストと上衣を同時に着脱することができるようにした開示がある。これは前開き型ベストを上服の上に着用する場合である。
【００１４】
また、特許文献２（実開昭６１−８６４０６号公報）には、前開き型ベストの後身頃を除去した前身頃のみを上衣の内側に係合部材で着脱自在に係合した組合せ衣服が開示されている。これは本来の前開き型ベストではない。
【００１５】
また、特許文献３（実開昭６１−９４５１０号公報）には、襟取付け部に係合手段（チャック）を設けたベストを脇下切替線より上の前部前身頃と後部前身頃よりなる被衣の内側に配して係合させた組合せ衣服が開示されている。しかし、これは係脱が面倒であり、また本案の主旨はベストと被衣の各部の材質を変えて得られる特性を利用しようとするものである。
【００１６】
また、特許文献４（実開昭６１−９４５０９号公報）には、同じく襟部と裾部に係合手段を設けたベストを被服の外側に配して係合させた組合せ衣服が開示されている。これも前記特許文献３と同様な主旨のものである。
【００１７】
さらに特許文献５（実開昭５８−０７１０６号公報）には、ジャッケットの前面開閉両縁の内面に雌雄１対のファスナー構成片を設け、別に前面を1対のファスナー構成片によって開閉可能とした前開き型ベストを設け、前記ジャケットのファスナーと前開き型ベストの開閉部材としてのファスナーを係合させたベスト付ジャッケットが開示されている。この案では係合具であるファスナーをジャケットとベストの前身頃の首部から下端部まで設けているので、係脱が面倒である。また、ジャケットとベストの組合せは固定的で、他のジャケット、他のベストとの組合せをすることはできない。
【００１８】
また、特許文献６（実開昭５７−３４５３０号公報）には、上衣の前方合せ部の折返し部の裏側両端部にチャックを設け、かつ肩裏と両袖口下に適当数のボタン掛紐輪を装着し、一方前身頃の開閉部材としてチャックを設けた前開き型チョッキの後身頃にボタンを設け、前期上衣のボタン掛紐輪にチョッキのボタンを係合し、かつチャック同士を係合した学生服が開示されている。これも係合は確実であるが、係脱するには上衣とチョッキを脱いだ状態でしか行えないという不便がある。
【００１９】
また、特許文献７（実開昭４９−７２４０９号公報）には、モーニングの上衣本体の内面周縁に平紐状のマジックファスナー（登録商標）を縫着し、チョッキ本体の当該個所にこれと係合するマジックファスナー（登録商標）を縫着したチョッキ付モーニングが開示されている。これも係合具を後襟部から左右前身頃全体にわたって設けているので、前記同様係脱するには上衣とチョッキを脱いだ状態でしか行えないという不便がある。
【００２０】
また、特許文献８（実開昭４７−１６６０５号公報）には、チヨッキの後身頃を除去し前身頃のみを上衣の内側に係脱自在に取付け、かつチョッキの左右両片交差部分（左右前身頃）と上衣左右両片交差部分（左右前身頃）内側をファスナー等で係合させたチョッキ裏生地兼用付背広上衣が開示されている。しかし、これは前身頃のみのチョッキで本来のチョッキではない。
【００２１】
以上のように今まで前開き型ベストと上服を便利に着こなそうとする種々の方法が開示されているが、前開き型ベストと上服を容易にかつ確実に係脱できる方法で前記問題点を解決したものは見当たらない。
【００２２】
ところで、衣服の防寒性を高めるため衣服の裏にライナーをボタンとボタン穴やジッパーなどによって係脱自在に取付けたものもあるが、この場合も前記公報の開示例に対して説明したように、ライナーの係脱は衣服を脱いだ状態でしか行うことができない様式であって、容易にかつ確実に係脱が行える方法で上記問題点を解決するものではない。
【００２３】
【特許文献１】特許第３４３６７３２号公報
【特許文献２】実開昭６１−８６４０６号公報
【特許文献３】実開昭６１−９４５１０号公報
【特許文献４】実開昭６１−９４５０９号公報
【特許文献５】実開昭５８−９７１０６号公報
【特許文献６】実開昭５７−３４５３０号公報
【特許文献７】実開昭４９−７２４０９号公報
【特許文献８】実開昭４７−１６６０５号公報
【非特許文献１】なし
【発明の開示】
【発明が解決しようとする課題】
【００２４】
本発明は上記の現状技術の問題点に鑑み、前開き型ベスト類と上服の組合せ着用にあたって、次のような課題を解決することを目的とする。
【００２５】
すなわち、（ａ）前開き型ベスト類の前身頃の開閉部材を開いた状態でも、前開き型ベスト類の一部が上服からはみ出して気障りになることがなく又スッキリ感を損なうようなこともなく、また、（２）前開き型ベスト類と上服の着脱時に前開き型ベスト類と上服を一体として同時に着脱できる組合せ衣服および上服を提供する。さらに、（３）複数の前開き型ベスト類を重ねて着用しても、容易に係脱自在で種々の外気温度に対応できる前開き型組合せベスト類を提供する。以上の結果として、（４）前開き型ベスト類及び上服を広い季節範囲に亘って便利に着用可能にする。
【００２６】
以上の課題を上服と前開き型ベスト類が容易かつ確実に係脱が可能な方法によって解決することを主旨とする。
【課題を解決するための手段】
【００２７】
本発明では次のような手段によって上記問題を解決した。
【００２８】
（手段１）
前開き型ベスト類の上に上服を着用する組合せ衣服において、前開き型ベスト類と上服のそれぞれの前身頃の開閉部材付近の左右両側の前開き型ベスト類と上服の隣接面側に、少なくとも左右各１組以上の係脱具を設けて、前開き型ベスト類と上服を係脱自在に係合させたことを特徴とする組合せ衣服である。
【００２９】
本手段の構成要素の態様について説明する。
【００３０】
前開き型ベスト類とは先にも述べたように、前身頃中央付近に開閉部材としてボタンとボタン穴を有する型、ジッパーを有する型、面ファスナーを有する型、及び特殊な場合としては全く開閉部材を設けない前開き型などの袖なしのベスト及びカーデガン（本来的に長袖で前開き型である）を総称した衣服である。
【００３１】
本発明に関する上服とはスーツ（背広）、ブレザー（ジャッケット）及びジャンパー、コートなどで、前開き型ベスト類の上に着用する衣服を総称したものである。また、男子用、女子用を問わない。
【００３２】
組合せ衣服とは前開き型ベスト類の上に上服を組合せて着用する場合に、一組の衣服とみなしての呼称である。
【００３３】
前身頃とは衣服において胴体の前半分を覆うものである。前開き型ベスト類では前身頃中央付近に縦に設けられたボタンとボタン穴、ジッパーなどの開閉部材によって開閉がなされる。
【００３４】
係脱具とは前開き型ベスト類と上服を係脱自在に係合するものである。係脱具としては通常の衣服の前身頃の開閉部材として用いられるボタンとボタン穴、ジッパー、面ファスナーなど、着脱が容易に自在にできるものであればいかなるものでも適用可能である。好ましくは上服を着たまま前開き型ベスト類との係脱が容易にできる面ファスナーやボタンとボタン穴などの係脱具がよい。
【００３５】
係脱具の位置は、前開き型ベスト類と上服のそれぞれの前身頃の開閉部材付近の左右両側に少なくとも１組以上設ける。これは上服を着たまま前開き型ベスト類と上服の係脱が容易にできるように手が届き易く、しかも係合が確実にできる場所としたものである。
【００３６】
係脱具は前開き型ベスト類の開閉部材を開いた状態の時に、前開き型ベスト類の左右前身頃の一部が上服からはみ出して気障りになることがなく、またスッキリ感を損なうようなこともないように、前開き型ベスト類が上服の下に隠れるように係合するものである。
【００３７】
係脱具の組数は前開き型ベスト類の左右の前身頃が上服からはみ出して気障りにならないように、また見た目を損なわず、かつ前開き型ベスト類と上服の係脱が容易に行える最低限度の数とするのが望ましい。通常は左右各１組でよいが、もう少ししっかりと係合したい場合には左右各２組を設ければ十分である。さらにしっかりと係合したい場合には左右各３組以上設けることもできるが、係脱具の組数が増えるにしたがって前開き型ベスト類と上服の係脱がやや面倒になることを考慮して組数を決めるべきである。また、係脱具を左右各２組以上設けておいて、実際の使用にあたっては必要な組数だけ使用することも可能である。
【００３８】
また、上服に設ける各係脱具はある程度の長さの係合紐で上服に逢着することによって、上服の各係脱具の位置をある程度の自由度をもって変えられるようにすることができる。その結果、本発明の上服を本発明の複数種類の前開き型ベスト類と組合せ着用した時にも、上服といずれの前開き型ベスト類の組合せでも係脱を可能とすることができる。つまり、本発明手段を用いた１着の上服は、本発明の係脱具を有する前開き型ベスト類であれば、異なる前開き型ベスト類であっても該上服と組合せ衣服を構成することができるのである。
【００３９】
なお、本発明手段に用いた係脱方法は、従来のコートなどの衣服でライナーを衣服の後襟部から前身頃又は胴脇部のほぼ全体にわたって係脱するようにしたものとは全く異なっている。つまり、両者とも係脱具自体は同じものを適用できるが、従来の係脱方法は衣服の全体にわたって係脱しているので、衣服を着たままライナーを係脱することはできず、必ず衣服を脱いだ状態で係脱を行わなければならない。
【００４０】
本発明に用いた係脱方法は、手の届く範囲の前身頃の開閉部材付近の左右両側に、前開き型ベスト類を開いた状態でも前開き型ベスト類の左右前身頃が上服から露出しないように最小限の係脱具を設けたもので、しかも上服を着たままで容易に係脱ができるのが特徴である。
【００４１】
本手段によって前述の課題のうち（ａ）を解決することができる。またこの結果、前開き型ベスト類と上服を従来の着用シーズンの前後にも着用することができるようになり、課題（４）の解決にも寄与するものである。
【００４２】
（手段２）
前開き型ベスト類の上に上服を着用する組合せ衣服において、前開き型ベスト類と上服のそれぞれの前身頃の開閉部材付近の左右両側と後襟部の３ヶ所の前開き型ベスト類と上服の隣接面側に、少なくとも各１組以上の係脱具を設けて、前開き型ベスト類と上服を係脱自在に係合させたことを特徴とする組合せ衣服である。
【００４３】
本手段では手段１で前開き型ベスト類と上服に設けた前身頃左右の係脱具に加えて、前開き型ベスト類と上服のそれぞれの後襟部にも同様な係脱具を設ける。これによって前開き型ベスト類と上服の係合度はさらに確実となり、前開き型ベスト類と上服を一体の組合せ衣服として取扱い易くなる。
【００４４】
その結果、従来は前開き型ベスト類と上服を着脱するにあたって、前開き型ベスト類と上服を別々に着脱しなければならなかったが、本手段の組合せ衣服では一体の衣服として同時に着脱が可能となる。
【００４５】
後襟部に設ける係脱具は前身頃の開閉部材付近の左右両側に設けた係脱具と同様に種々のものが適用できるが、後襟部はやや手が届きにくいので、上服を着たままで係脱具を容易に係脱できることを考慮すると、１組の面ファスナーや１組のボタンとボタン穴などが好ましい係脱具である。
【００４６】
本手段によって前述の課題（ａ）及び（２）が解決でき、その結果、課題（４）の解決にも寄与するものである。
【００４７】
（手段３）
開閉部材としてボタンとボタン穴を有する前開き型ベスト類の上に着用する上服において、上服の前身頃の開閉部材付近の左右裏面側に、前開き型ベスト類のボタンとボタン穴にそれぞれ係脱するボタン穴とボタンを少なくとも各１以上設けたことを特徴とする上服である。
【００４８】
本手段では、着用する前開き型ベスト類が開閉部材としてボタンとボタン穴を有している場合であって、この場合にはこの前開き型ベスト類のボタンとボタン穴を前開き型ベスト類側の係脱具として利用し、これに対応する上服の前身頃の開閉部材付近の左右裏面側に、上服側の係脱具として、前開き型ベスト類のボタンとボタン穴と係合するボタン穴とボタンを設けたものである。
【００４９】
上服に係脱具として設けるボタン穴とボタンのそれぞれの数は、少なくとも各１個あれば前開き型ベスト類と上服を係合し、前開き型ベスト類を上服の下に隠すことができる。前開き型ベスト類と上服の係合度をさらに確実にするには各２個とすれば十分である。また、各２個以上設けておいて、適宜そのうちの必要な個数のみ使うようにすることもできる。
【００５０】
本手段によって前開き型ベスト類側には何らの係脱具を設けることなく、上服裏側のみに係脱具としてボタン穴とボタンを設けるだけで手段１と全く同じ効果を得ることができる。
【００５１】
また、上服に係合具として設けるボタン穴とボタンをある程度の長さの係合紐の先端側に取付け、他端側を上服に逢着することによって、そのボタン穴とボタンはある程度の位置的な自由度をもって動かせるようにすることができる。その結果、本発明の上服を複数種類のボタンとボタン穴を有する前開き型ベスト類と組合せ着用した時にも、上服といずれのボタンとボタン穴を有する前開き型ベスト類の組合せでも係脱を可能とすることができる。つまり、本発明手段を用いた１着の上服は、ボタンとボタン穴を有する前開き型ベスト類であれば、異なる前開き型ベスト類であっても該上服と組合せ衣服を構成することができるのである。
【００５２】
なお、本発明手段において手段２と同じように、後襟部に適宜の係脱具を追加することによってさらに係合度を高め、ベスト類と上服の一体性を確実にすることができる。
【００５３】
本手段によって前述の課題（ａ）が解決でき、課題（４）の解決にも寄与するものである。
【００５４】
（手段４）
複数枚の前開き型ベスト類を重ねて着る組合せ衣服において、複数枚の前開き型ベスト類のそれぞれの前身頃の開閉部材付近の左右両側と後襟部の３ヶ所の重ねて着る前開き型ベスト類同士の隣接面側に、少なくとも各１組以上の係脱具を設けて、複数枚の前開き型ベスト類を係脱自在に係合させたことを特徴とする前開き型組合せベスト類である。
【００５５】
本手段では広い範囲の外気温度に対応するため、前開き型ベスト類を複数枚重ねて着用するとともに、容易に係脱ができるように、前記手段２に記載されたものと同様の手段を複数枚の前開き型ベスト類に適用する。その結果、複数枚のベスト類が係脱自在に係合された前開き型組合せベスト類を提供することができる。
【００５６】
このような複数枚の前開き型ベスト類を重ねて容易に係脱自在とした衣服は今までに存在しておらず、全く新規な衣服である。この前開き型組合せベスト類を着用することによって、前開き型ベスト類及び上服をさらに広いシーズンに亘って着用できるようにすることができる。
【００５７】
なお、本手段は前開き型ベストと前開き型ベストの組合せのみでなく、前開き型ベストとカーデガンとの組合せなどにおいても有効である。したがって、組合せる前開き型ベストやカーデガンの厚みを変えることによって、広い温度範囲の防寒特性を有する前開き型組合せベスト類を提供することができるものである。
【００５８】
また、この前開き型組合せベスト類は一着の前開き型ベスト類とみなすことができ、これを手段１乃至３いずれかに記載の手段によって、上服と係脱させて着用することも可能である。したがって、この前開き型組合せベスト類と上服を着用することによって、さらに広い温度範囲の防寒特性を有する組合せ衣服となり、極めて広範囲のシーズンに亘って着用できるようになるものである。
【００５９】
例えば、この前開き型組合せベスト類と上服の着用によって、色々な着用バリエーションで外気温度に対応できるようになる。すなわち、（ａ）前開き型組合せベスト類と上服を着用して、前開き型組合せベスト類も上服もともに開閉部材を閉じた状態、（ｂ）同じく、上服のみ開いた状態。（ｃ）さらに前開き型組合せベスト類の一部を開いた状態、（ｄ）さらに前開き型組合せベスト類をすべて開いた状態、（ｅ）前開き型組合せベスト類をすべて閉じ、上服を脱いだ状態、（ｆ）同じく、前開き型組合せベスト類の一部を開いた状態、（ｇ）さらに、前開き型組合せベスト類のすべてを開いた状態、（ｈ）上服を脱ぎ、前開き型組合せベスト類の一枚を脱ぎ、残りの前開き型ベスト類を閉じた状態、（ｉ）同じく残りの前開き型ベスト類も開いた状態、という極めて多様な着用形態で外気温度の変化に対応できるのである。
【００６０】
本手段によって前述の課題（３）が解決でき、その結果、課題（４）の解決に大きく寄与できるものである。
【発明の効果】
【００６１】
本発明の効果は、手段１乃至４に述べたような手段によって、前開き型ベスト類と上服、又は前開き型ベスト類同士、さらには、前開き型組合せベスト類と上服などを係脱自在の係脱具を設けて係合させることによって次のような効果が得られた。
【００６２】
手段１乃至３によって、（１）前開き型ベスト類の上に上服を着用した状態で、前開き型ベスト類の前身頃の開閉部材を開いた状態でも前開き型ベスト類の左右前身頃の一部が上服からはみ出すことがなくなった。その結果、前開き型ベスト類の上服からのはみ出しが気障りになることがなく、またスッキリ感を損なうこともなくなった。
【００６３】
（２）従来、前開き型ベスト類と上服は別々に着脱していたが、本手段の係脱具によって一体の衣服として扱えるようになったので、前開き型ベスト類と上服を一体として同時に着脱できるようになり、極めて便利になった。
【００６４】
また手段４によって、（３）複数枚の前開き型ベスト類を重ね合せた全く新規な前開き型組合せベスト類を提供し、前開き型ベストの簡易防寒性を高めるとともに、これを上服と組合せ着用することによって、極めて広範囲の外気温度の変化に対応できる着用バリエーションを実現した。
【００６５】
その結果、（４）前開き型ベスト類が広い季節範囲に亘って便利に利用できるようになった。また、上服の下に前開き型ベスト類を係合して隠した状態でライナーナーのようにして着用することによって、一着の上服を本来の着用期間の前後も着用可能とし、その着用期間を大幅に広げた。
【００６６】
具体的に本発明に係る衣服としては、一体として取扱えかつ係脱自在の前開き型ベスト類と上服の組合せ衣服、ボタンとボタン穴を有する前開き型ベスト類と容易に係脱が可能な上服、及び一体として取扱えかつ係脱自在の前開き型組合せベスト類など、幅広いシーズンにわたって利用度の高い３種類の新規な衣服を提供した。
【００６７】
以上の結果、本発明によって前開き型ベスト類と上服の利便性及び経済性を大幅に向上させることができた。
【発明を実施するための最良の形態】
【００６８】
簡易防寒衣服として利用度の高い前開き型ベスト類と上服を次のように簡易な係脱具を用いて係合することによって前開き型ベスト類及び上服の利便性を大幅に高めることができる組合せ衣服、上服及び前開き型組合せベスト類などを提供できる。
【００６９】
すなわち、手段１においては、ボタンとボタン穴、ジッパー、面状ファスナーなどの係脱が自在にできる簡便な係脱具を、前開き型ベスト類と上服の前身頃の開閉部材付近の左右両側の前開き型ベスト類と上服の隣接面側に、少なくとも左右各１組以上設けることによって、前開き型ベスト類と上服の組合せ衣服を実現できる。係脱具としては、ボタンとボタン穴又は面状ファスナーが最良である。また、係脱具をある程度の長さの係合紐で上服に縫着することによって、係脱具の位置に自由度をもたせることができ利便性を高めることができる。
【００７０】
手段２においては、手段１の係脱具に加えて前開き型ベスト類と上服の後襟部にも係脱具を設けて前開き型ベスト類と上服の一体性をさらに高めた。この場合の後襟部に設ける係脱具としては、面ファスナーが最良である。
【００７１】
手段３においては、着用する前開き型ベスト類がボタンとボタン穴を有している最も一般的な場合であって、この場合にはこの前開き型ベスト類のボタンとボタン穴を前開き型ベスト類側の係脱具として利用し、これに対応する上服の前身頃の開閉部材付近の左右裏面側に、上服側の係脱具として、前開き型ベスト類のボタンとボタン穴と係合するボタン穴とボタンを設けることによって実現できる。この場合、前開き型ベスト類側には何らの係脱具を設けることなく、上服裏側のみにボタン穴とボタンを設けるだけで手段１と全く同様な効果を得ることができる。
【００７２】
また、上服に設けるボタン穴とボタンをある程度の長さの係合紐で上服に縫着することによって、その位置はある程度の自由度をもって変えられるようにすることができ、一着の上服が異なる種類の複数の前開き型ベスト類と係脱でき、種々の組合せ着用が可能となる。
【００７３】
手段４においては、手段１乃至３と同様な係脱具を複数枚の前開き型ベスト類に適用して前開き型組合せベスト類を実現できる。この場合の係脱具としてはボタンとボタン穴又は面状ファスナーが最良である。
【００７４】
この場合も係脱具をある程度の長さの係合紐で上服に縫着することによって、その位置をある程度の自由度をもって変えられるようにすることができ、利便性を高めることができる。
【００７５】
以上、いずれの手段においても簡易な係脱具を使用して、前記発明の効果において述べたごとく極めて大きな効果を得ることができる。
【実施例１】
【００７６】
図１０は開閉部材としてボタン１とボタン穴２を有する一般的な前開き型ベスト３と上服４を着用して、前開き型ベスト３を開いた状態を示したものである。図からわかるように、前開き型ベストの左右前身頃５が上服４から露出していて、見た目にすっきりせず、またひらひらするので気障りでもある。
【００７７】
図１は図１０と同じ構成において、本発明の手段１を用いて前開き型ベスト３と上服４に係脱具として面ファスナー７を左右各１組設けた状態を、上服の前身頃６を裏返して示した図である。すなわち、前開き型ベストの前身頃５の表側のボタン１とボタン穴２付近に面ファスナー７の片方を左右各１個設け、それに対応する上服の左右前身頃６の裏側に前開き型ベスト３に設けた面ファスナー７のもう一方を左右各１個設けた。これら左右各１組の面ファスナー７によって前開き型ベスト類３と上服４の係脱を行うようにしたものが組合せ衣服１６である。
【００７８】
図２は図１の構成において前開き型ベスト３を開いた状態で着用した時に、前開き型ベスト３と上服４の前身頃の面ファスナー７を係合することによって前開き型ベスト３が上服４の下にすっきりと隠れた着用状態を示す図である。
【００７９】
本構成によってその作用効果を説明する。前開き型ベスト３を開いた状態にした時は、前開き型ベスト３及び上服４の前身頃に設けた面ファスナー７を用いて前開き型ベスト３と上服４を係合することによって、図２に示すように前開き型ベスト３が上服４の下にすっきりと隠れた着用状態となり、目障りな感じをまったく受けず、また外観からは前開き型ベスト３を着用していることもわからない。
【００８０】
この状態から上服４を脱ぐ時には、前身頃の面ファスナー７を容易に外して上服４を脱ぐことができる。また、前開き型ベスト３と上服４を係合した状態から前開き型ベスト３を閉じたい時も、前身頃の面ファスナー７を容易に外して前開き型ベストのボタン１とボタン穴２を閉じることができる。
【００８１】
本実施例における上記の作用効果は、面ファスナー７を容易に係脱ができる前開き型ベストの前身頃５と上服の前身頃６に設けたことによるものである。この点が従来のコートなどのライナーのように、係脱具を後襟部８から前身頃５、６又は胴脇部１０にわたって全体に設けた係脱方法とは全く異なっている。すなわち、従来のライナーはコートなどの衣服を脱いだ状態で係脱するものである。本発明は前開き型ベスト３と上服４を着たままで、前開き型ベスト３と上服４の係脱が極めて容易にできる点が大きな特徴である。
【００８２】
前身頃の面ファスナー７の数は本実施例では左右各１組としたが、これは前開き型ベスト３と上服４を係合し、かつ前開き型ベスト３を上服４の下に隠すために必要な最小限度の組数として係脱を容易にしたものである。面ファスナーファスナー７を左右各２組以上設ければ前開き型ベスト３と上服４の係合度をさらに高めることができる。しかし、係脱具としての面ファスナー７の数を増やせばそれだけ係脱が面倒になることを考慮して組数を決めるべきである。応用としては、左右２組以上設けておいて状況に応じて必要組数のみ使用することも実用的である。
【００８３】
係脱具として本実施例のように面ファスナーを用いた場合には、係脱具が見えない上服の係脱具をやや大きくし、表面にでる前開き型ベストの係脱具を小さくするのが外観上の見栄えがよく、また係合する際も上服とベストが少しずれても容易に係合が可能である。さらに係合度の強さは前開き型ベストの小さい係脱具の面積で調整することができる点でも効果がある。
【００８４】
係脱具としては、その他にボタンとボタン穴の組合せも簡便な係脱具として適用可能である。また、ジッパーも適用可能であるが、いくぶんか係脱が面倒である。
【００８５】
なお、本実施例では前開き型ベストの開閉部材がボタンとボタン穴のものについて示したが、開閉部材が面ファスナー、ジッパー、又は開閉部材なしなどのいかなるものにも適用可能である。
【実施例２】
【００８６】
図３は開閉部材としてボタン１とボタン穴２を有する一般的な前開き型ベスト３と上服４において、前開き型ベストの前身頃５の表側のボタン１とボタン穴２付近に係脱具として面ファスナー７の片方を左右各２個設け、それに対応する上服の左右前身頃６の裏側に前開き型ベスト３に設けた係脱具面ファスナー７のもう一方を左右各２個設けた。つまり、面ファスナー７を前身頃に左右各２組設けた。また前開き型ベスト３と上服４の後襟部の隣接面側に面ファスナー９を１組設けた。図はその状態を上服の前身頃６を裏返して示したものである。
【００８７】
また、図４に本構成において前開き型ベスト３を開いた状態で前開き型ベスト３と上服４の面ファスナー７と９を係合した状態を示した。
【００８８】
本実施例では前身頃の係脱具である面ファスナー７を左右各２組設け、さらに後襟部の係脱具である面ファスナー９を１組設けたので、前開き型ベスト３と上服４の係合度を高めることができた。この結果、従来別々の衣服として取扱われてきた前開き型ベスト３と上服４がしっかり係合された一体の組合せ衣服１６となった。
【００８９】
これによって、従来前開き型ベスト３と上服４の着脱にあたって、前開き型ベスト３と上服４を別々に着脱していたものが、本実施例によって前開き型ベスト３と上服４を係脱具である面ファスナー７及び９を係合した状態で同時に着脱できるようになった。前開き型ベスト３と上服４の着脱を極めて便利にしたものである。
【００９０】
なお、図４に示すように前開き型ベスト３を開いた状態で係脱具の面ファスナー７を係合させると、前開き型ベスト類３は上服４の下にすっきりと隠れ、前開き型ベスト類３を着ていることがわからない状態で着用することができるのである。
【００９１】
また、後襟部の係脱具である面ファスナー９は前身頃の係脱具である面ファスナー９に比べ手が届きにくいので、本実施例のように面ファスナーなどの係脱がより容易な係脱具が望ましい。
【００９２】
なお、前開き型ベスト類に設けた係脱具は前開き型ベスト類を閉じた時や上服を脱いだ時に表面にでるので、気になる場合は前開き型ベスト類と色調をそろえたりして目立たないようにすることができる。または逆に、形状や色を工夫してアクセントとしてデザインすることもできる。
【００９３】
本実施例の組合せ衣服によって、前開き型ベスト類を、前身頃の開閉部材を閉じて簡易防寒衣服としての本来の着用形態で用いることに加えて、上服の下に係合して隠した状態で一種のライナーのように着用して別種の簡易防寒性能を発揮させることが可能になった。その結果、本実施例の上服は前開き型ベスト類を係合して隠した状態で着用すれば、本来の着用期間の前後も着用することができ、１着の上服の着用期間を大幅に広げることができることになる、という多大の効果を提供するものである。
【実施例３】
【００９４】
図５は本発明の手段２を用いて、実施例２と同様に前開き型ベスト３と上服４に前身頃の左右の係脱具として面ファスナー７を左右各２組設け、また後襟部に1組の面ファスナー９を設けた状態を、上服の前身頃６を裏返して示した図である。すなわち、前開き型ベストの前身頃５の表側のボタン１とボタン穴２付近に係脱具として面ファスナー７の片方を各２個設け、それに対応する上服の左右前身頃６の裏側に前開き型ベスト３に設けた面ファスナー７のもう一方の係脱具を各２個設けた。さらに、後襟部８のベスト表側と上服裏側に同じく係脱具として１組の面ファスナー９を設けた。
【００９５】
ただし、本実施例では実施例２と少し異なり、図６に詳細を示すように上服４に設ける前身頃の各面ファスナー７は適宜長さの係合紐１３の先端に取付けられ、該係合紐１３のもう一方の端で上服４の裏側に縫着されている。
【００９６】
本構成の効果は上服４の各面ファスナー７の位置はある程度の自由度をもって変えられるようになっていることである。従って、本実施例の上服４は、本実施例と同じ構成の前開き型ベスト３であればいずれの前開き型ベストと組合せ着用した時にも係脱が可能である。つまり、本実施例の上服又は前開き型ベストはそれぞれ異なる前開き型ベスト又は上服とも組合せ衣服を構成することができるので、広い組合せ衣服のバリエーションを楽しむことが可能である。
【００９７】
なお、後襟部の面ファスナー９は実施例２と同様に前開き型ベスト３の表側と上服４の裏側に直接取付けられている。これは、後襟部の面ファスナー９は前開き型ベスト３と上服４のそれぞれの後襟部の中央付近に取付ければ、異なる前開き型ベスト３と上服４の組合せであってもほぼその位置は一致して、係脱が可能なためである。勿論、面ファスナー９を前身頃と同じように係合紐１３で上服４に縫着することも可能である。
【００９８】
その他の構成要件及び作用効果は実施例２と同じである。
【実施例４】
【００９９】
図７は本発明の手段３を用いて、開閉部材としてボタン１とボタン穴２を有する前開き型ベスト３の上に着用する上服４において、上服の前身頃６の開閉部材付近の左右裏面側に、前開き型ベスト３のボタン１とボタン穴２にそれぞれ係脱するボタン穴１１とボタン１２を、前開き型ベスト３と上服４の係脱具として上服の前身頃６の裏側に左右各２個設けた状態を上服の前身頃６を裏返して示したものである。
【０１００】
なお、上服４に係脱具として設けたボタン穴１１とボタン１２は図８に詳細を示すように係合紐１３の先端側に取付けられ、他端が上服４に縫着されている。
【０１０１】
本発明構成においてその作用効果を説明する。
【０１０２】
本実施例では、着用する前開き型ベスト３が開閉部材としてボタン１とボタン穴２を有している場合であって、この場合にはこの前開き型ベスト３のボタン１とボタン穴２をベスト側の係脱具として利用し、これに対応する上服の前身頃６の左右裏面側に、上服側の係脱具として、前開き型ベストのボタン１とボタン穴２と係合するボタン穴１１とボタン１２を左右各２個設けて組合せ衣服１６としたものである。
【０１０３】
本実施例では前開き型ベスト３には何らの付加的な係脱具を設けることなく、上服４の前身頃の裏側のみにボタン穴１１とボタン１２を設けるだけで実施例１と全く同じ効果を得ることができた。
【０１０４】
また、上服４に設けるボタン穴１１とボタン１２は図８に詳細を示すように適宜の長さの係合紐１３によって上服４の裏側に固定されているので、その位置はある程度の自由度をもって変えられるようになっている。従って、本実施例の上服４は、ボタン１とボタン穴２を有する複数種類の前開き型ベスト３と組合せ着用した時にも、前開き型ベスト３のボタン１とボタン穴２の位置が異なっていても、いずれの前開き型ベスト３とも組合せでも係脱が可能である。つまり、本実施例の上服４はボタン１とボタン穴２を有する前開き型ベストであれば、異なるベストであっても組合せ衣服を構成することができるのである。
【０１０５】
なお、本実施例においても、実施例２のように後襟部８に面ファスナー等の係脱具を追加すれば、さらにベストと上服の係合を確実なものとすることができる。
【実施例５】
【０１０６】
図９は本発明の手段４を用いて、ボタン１とボタン穴２を有する２枚の前開き型ベストＡ、１４と前開き型ベストＢ、１５を重ねて着る衣服において、前開き型ベストＡ、１４と前開き型ベストＢ、１５のそれぞれの前身頃５の開閉部材付近の左右両側に各２組の面ファスナー７と、後襟部８に１組の面ファスナー９を、重ねて着た前開き型ベストＡ、１４と前開き型ベストＢ、１５同士の隣接面側に設けて、２枚の前開き型ベストＡ、１４と前開き型ベストＢ、１５を係脱自在に係合させた前開き型組合せベスト１７を前開き型ベスト類Ｂ、１５を裏返して示した図である。
【０１０７】
本実施例では広い範囲の外気温度に対応するため、前開き型ベストＡ、１４と前開き型ベストＢ、１５を２枚重ねて着用するとともに、容易に係脱ができるように、前記実施例１及び２に記載されたものと同様の面ファスナーを前身頃５と後襟部８に設けた。その結果、２枚の前開き型ベストＡ、１４と前開き型ベストＢ、１５が係脱自在に係合された組合せベスト１７を提供することができた。
【０１０８】
係脱具としては実施例１乃至４に記載のものと同じものが適用できる。また、その数も同様である。
【０１０９】
このような複数枚の前開き型ベストを重ねて容易に係脱自在とした衣服は今までに存在しておらず、全く新規な衣服である。この前開き型組合せベスト１７を着用することによって、前開き型ベスト類及び上服をさらに広いシーズンに亘って着用できるようになった。
【０１１０】
なお、本実施例は前開き型ベストと前開き型ベストの組合せについて示したが、前開き型ベストとカーデガンとの組合せなどにおいても有効である。したがって、組合せる前開き型ベストやカーデガンの厚みを変えることによって、広い温度範囲の防寒特性を有する前開き型組合せベスト類を提供することができるものである。
【０１１１】
また、この前開き型組合せベストは一着の前開き型ベスト類とみなすことができ、これを実施例１乃至４記載のようにして上服と係脱させて着用することも可能である。したがって、この前開き型組合せベストと上服を着用することによって、さらに広い温度範囲の防寒特性を有する組合せ衣服となり、極めて広範囲のシーズンに亘って着用できるようになるものである。
【図面の簡単な説明】
【０１１２】
【図１】本発明の実施例１の係脱具の取付け状態を示す図である。
【図２】本発明の実施例１の着用状態を示す図である。
【図３】本発明の実施例２の係脱具の取付け状態を示す図である。
【図４】本発明の実施例２の着用状態を示す図である。
【図５】本発明の実施例３の係脱具の取付け状態を示す図である。
【図６】本発明の実施例３の係脱具の詳細を示す図である。
【図７】本発明の実施例４の係脱具の取付け状態を示す図である。
【図８】本発明の実施例４の係脱具の詳細を示す図である。
【図９】本発明の実施例５の係脱具の取付け状態を示す図である。
【図１０】従来の前開き型ベストと上服の着用状態を示す図である。
【符号の説明】
【０１１３】
１  前開き型ベストのボタン
２  前開き型ベストのボタン穴
３  前開き型ベスト
４  上服
５  前開き型ベストの前身頃
６  上服の前身頃
７  前身頃の面ファスナー
８  後襟部
９  後襟部の面ファスナー
１０  胴脇部
１１  上服に係脱具として設けたボタン穴
１２  上服に係脱具として設けたボタン
１３  係合紐
１４  前開き型ベストＡ
１５  前開き型ベストＢ
１６  組合せ衣服
１７  前開き型組合せベスト
１８  上服のボタン
１９  上服のボタン穴
【図１】
2005281898.tif 000003
【図２】
2005281898.tif 000004
【図３】
2005281898.tif 000005
【図４】
2005281898.tif 000006
【図５】
2005281898.tif 000007
【図６】
2005281898.tif 000008
【図７】
2005281898.tif 000009
【図８】
2005281898.tif 000010
【図９】
2005281898.tif 000011
【図１０】
2005281898.tif 000012